(57)【要約】【課題】  物質の包装及び塗布装置を更に改良すること、そして特に種々のアプリケータ要素、特に横断面が円形でないアプリケータ要素を満足な仕方で拭うことのでき、また、相応した容器に容易に装着できるワイパー部材を提供する。【解決手段】  本発明は、  物質（Ｐ）を収容する容器（２）と；  アプリケータ要素（７）を含むアプリケータ（４）と；  アプリケータ要素（７）を拭うワイパー部材（３）と；を有し、  ワイパー部材（３）がワイパー部材（３）の自由端（３ａ）までのびる少なくとも一つのスロット（１４）を備える壁をもつ長手方向に割った環状部分（１２）を備え、スロット（１４）が上記壁の全厚さを通ってのび、上記長手方向に割った環状部分（１２）が、内側横断面の最小となる平面において、アプリケータ要素（７）の最大横断面より大きな外側横断面をもち、アプリケータ要素（７）が通る際に上記長手方向に割った環状部分（１２）が半径方向外方へ変形することを特徴とする、物質、特に化粧品又はケアー製品の包装及び塗布装置を提供する。【選択図】    図１
2004351208.tif 000002
【特許請求の範囲】
【請求項１】
物質（Ｐ）を収容する容器（２）と；
アプリケータ要素（７）を含むアプリケータ（４）と；
アプリケータ要素（７）を拭うワイパー部材（３）と；
を有し、
ワイパー部材（３）がワイパー部材（３）の自由端（３ａ）までのびる少なくとも一つのスロット（１４）を備える壁をもつ長手方向に割った環状部分（１２）を備え、スロット（１４）が上記壁の全厚さを通ってのび、上記長手方向に割った環状部分（１２）が、内側横断面の最小となる平面において、アプリケータ要素（７）の最大横断面より大きな外側横断面をもち、アプリケータ要素（７）が通る際に上記長手方向に割った環状部分（１２）が半径方向外方へ変形することを特徴とする、物質、特に化粧品又はケアー製品の包装及び塗布装置。
【請求項２】
ワイパー部材（３）の長手方向に割った環状部分（１２）が、半径方向外方へ突出した少なくとも一つの部分、特にスロット（１４）のレベルに配置したビード（１３）又は少なくとも一つのリブ（１９）を備えていることを特徴とする請求項１に記載の装置。
【請求項３】
長手方向に割った環状部分（１２）の壁厚が、０．５ｍｍ〜８ｍｍ、好ましくは０．８ｍｍ〜６ｍｍ、又は実際には１．２ｍｍ〜６ｍｍの範囲内であることを特徴とする請求項１又は２に記載の装置。
【請求項４】
長手方向に割った環状部分（１２）が、ショアーAスケールで１５からショアーＤスケールで４０までの範囲の硬度をもつ弾性的に変形できる材料から成ることを特徴とする請求項１〜３のいずれか一項に記載の装置。
【請求項５】
長手方向に割った環状部分（１２）が、以下の材料、即ちシリコーンエラストマー、エチレン−プロピレンダイン単量体（ＥＰＤＭ）、ニトリルゴム、ブチルゴム、ラテックス、熱可塑性エラストマー、ポリウレタン（ＰＵ）、ポリエステル、ポリエチレン（ＰＥ）、ポリ塩化ビニル（ＰＶＣ）、エチレンビニルアセテート（ＥＶＡ）、スチレン−イソプレン−スチレン（ＳＩＳ）、スチレン−ブタジエン−スチレンブロック共重合体（ＳＢＳ）、スチレン−エチレン−ブタリエン−スチレン（ＳＥＢＳ）、Ｈｙｔｒｅｌ（登録商標）、Ｐｅｂａｘ（登録商標）から成ることを特徴とする請求項１〜４のいずれか一項に記載の装置。
【請求項６】
長手方向に割った環状部分（１２）が、少なくとも二つの長手方向スロット（１４）、又は少なくとも三つの長手方向スロット、特に四つ以上の長手方向スロット、一層好ましくは六個又は八個以上の長手方向スロットを備えていることを特徴とする請求項１〜５のいずれか一項に記載の装置。
【請求項７】
長手方向に割った環状部分（１２）が、長手方向に割った環状部分（１２）の周囲に規則的に配置されるスロット（１４）を備えていることを特徴とする請求項１〜６のいずれか一項に記載の装置。
【請求項８】
長手方向に割った環状部分（１２）が、２ｍｍ〜１５ｍｍの範囲にあるワイパー部材（３）の長手方向軸線に沿って測った長さの少なくとも一つのスロット（１４）を備えていることを特徴とする請求項１〜７のいずれか一項に記載の装置。
【請求項９】
ワイパー部材（３）が、休止時及びアプリケータ要素（７）のない時に、軸対称でありかつ特に回転体の形状を成す外側包絡形状をもつことを特徴とする請求項１〜８のいずれか一項に記載の装置。
【請求項１０】
長手方向に割った環状部分（１２）の内側横断面が、円形、楕円形、又は多角形であり、特に、方形又は三角形であることを特徴とする請求項１〜９のいずれか一項に記載の装置。
【請求項１１】
長手方向に割った環状部分（１２）の内側横断面が長手方向に割った環状部分の自由端（３ａ）に向って少なくともある長さにわたってテーパー状であることを特徴とする請求項１〜１０のいずれか一項に記載の装置。
【請求項１２】
長手方向に割った環状部分（１２）が、容器（２）に装着される固定部分（１７）に固定され、そして特に容器（２）の首部（８）に係合されることを特徴とする請求項１〜１１のいずれか一項に記載の装置。
【請求項１３】
固定部分（１７）が、その一端部に、容器（２）の首部（８）の端縁部に対して軸線方向に支持する鍔（１１）を備えていることを特徴とする請求項１２に記載の装置。
【請求項１４】
長手方向に割った環状部分（１２）及び固定部分（１７）が、材料を成形することにより単一部片として構成されることを特徴とする請求項１３に記載の装置。
【請求項１５】
長手方向に割った環状部分（１２）が一つの部品として構成され、また固定部分（１７）が別の部品として構成され、これら二つの部品が互いに固定されることを特徴とする請求項１３に記載の装置。
【請求項１６】
二つの部品が異なる材料から成ることを特徴とする請求項１５に記載の装置。
【請求項１７】
固定部分（１７）が、以下の材料：ポリオレフィン、特にポリエチレン（ＰＥ）又はポリプロピレン（ＰＰ）；ポリアセタル（ＰＯＭ）；ポリアミド（ＰＡ）；ポリエチレンテレフタレート（ＰＥＴ）の一つによって構成されることを特徴とする請求項１２〜１４のいずれか一項に記載の装置。
【請求項１８】
二つの部品が、以下の方法：機械的組立て、接着剤、熱シール法、オーバーモールディングの一つによって互いに組立られることを特徴とする請求項１５に記載の装置。
【請求項１９】
長手方向に割った環状部分（１２）が固定部分（１７）を覆う部品の一部分として構成されることを特徴とする請求項１５〜１８のいずれか一項に記載の装置。
【請求項２０】
長手方向に割った環状部分（１２）が、スナップ嵌めによって固定部分（１７）と機械的に組立られるようにされた固定部分を含む部品に形成されることを特徴とする請求項１８に記載の装置。
【請求項２１】
ワイパー部材（３）が、容器（２）の内側にスナップ嵌めするため長手方向に割った環状部分（１２）の上に環状ビードを備えていることを特徴とする請求項１〜２０のいずれか一項に記載の装置。
【請求項２２】
少なくとも一つのスロットが、半径方向外方へ広がる、特にＶ字形である横断面を備えていることを特徴とする請求項１〜２１のいずれか一項に記載の装置。
【請求項２３】
スロットが、フロック加工される対向面（１４ａ、１４ｂ）を備えていることを特徴とする請求項２２に記載の装置。
【請求項２４】
ワイパー部材（３）が、長手方向に割った環状部分（１２）の上方で外側表面に溝（２５）を備えていることを特徴とする請求項１〜２３のいずれか一項に記載の装置。
【請求項２５】
アプリケータ要素（７）の横断面が、その長さの少なくとも一部分にわたって円形でないことを特徴とする請求項１〜２４のいずれか一項に記載の装置。
【請求項２６】
アプリケータ要素（７）が、フロック加工の被覆を備えていることを特徴とする請求項１〜２５のいずれか一項に記載の装置。
【請求項２７】
アプリケータ要素（７）がブラシ及び櫛の一つで構成され、アプリケータ要素（７）がまつげ又は眉毛に物質を塗布するように構成されていることを特徴とする請求項１〜２６のいずれか一項に記載の装置。
【請求項２８】
物質が、ケラチン質繊維に塗布するため、又は唇又はまぶたに塗布するためのものであることを特徴とする請求項１〜２７のいずれか一項に記載の装置。
【請求項２９】
アプリケータ（４）が、端部にアプリケータ要素（７）を固定したステム（６）を有することを特徴とする請求項１〜２８のいずれか一項に記載の装置。
【請求項３０】
ステム（６）が、第１の横断面をもつ第１の部分及び第１の横断面より小さい第２の横断面をもつ第２の部分（６ａ）を有し、第２の部分は、アプリケータ（４）が容器（２）に適切に置かれている時に、ワイパー部材（３）の長手方向に割った環状部分（１２）内に位置決めされることを特徴とする請求項１〜２９のいずれか一項に記載の装置。
【請求項３１】
長手方向に割った環状部分（１２）の内側横断面が長手方向に割った環状部分（１２）の自由端（３ａ）に向ってテーパー状であることを特徴とする請求項１１に記載の装置。
【請求項３２】
ワイパー部材（３）の壁厚が、特にワイパー部材（３）の下半分にわたって、特に長手方向に割った環状部分（１２）にわたって一定でないことを特徴とする請求項１〜３１のいずれか一項に記載の装置。
【請求項３３】
長手方向に割った環状部分（１２）における壁厚は、アプリケータ要素（７）がワイパー部材（３）の外周囲を越えて突出せず、ワイパー部材（３）内にマスクされて留まり、そしてワイパー部材（３）を通過する際にスロットの厚さで拭われるようにされていることを特徴とする請求項１〜３２のいずれか一項に記載の装置。
【請求項３４】
スロット（１４）がワイパー部材（３）の高さの半分以下にわたって、実際にはワイパー部材（３）の高さの１／３以下にわたってのびていることを特徴とする請求項１〜３３のいずれか一項に記載の装置。
【請求項３５】
スロット（１４）が、それに沿ってのびるワイパー部材（３）の部分に形成され、上記部分にわたるワイパー部材（３）の内側横断面がアプリケータ（４）の最大横断面より小さいか又はそれに等しいされていることを特徴とする請求項１〜３４のいずれか一項に記載の装置。
【発明の詳細な説明】
【技術分野】
【０００１】
本発明は、各々平パー部材を備えた、物質特にケアー製品を含む化粧品を包装し塗布する装置に関するものである。
【背景技術】
【０００２】
特許文献１には、アプリケータを含むストッパーをねじ込むのに適したねじ付き首部を画定するワイパー部材を備えた容器から成る特にまつげ用化粧セットが記載されている。
【０００３】
特許文献２には、トーラスの内側のような形状の中心部分を通って多数の長手方向スロットを設けたワイパー部材を備える、液体又は半固体物質の供給装置が記載されている。
【０００４】
特許文献３には、一方をフロック加工の繊維で覆った二つの部品で構成した二つの段部をもつワイパー部材を備える、流体特に化粧品を塗布するキットが記載されている。
【０００５】
特許文献４には、発泡体のスプリットブロックから成るワイパー部材が記載されている。
【特許文献１】フランス国特許出願ＦＲ２５６２７７３
【特許文献２】欧州特許ＥＰ０７２８４２６Ｂ１
【特許文献３】欧州特許ＥＰ０６２７１８２Ｂ１
【特許文献４】欧州特許ＥＰ０８２４３２９Ｂ１
【発明の開示】
【発明が解決しようとする課題】
【０００６】
物質の包装及び塗布装置を更に改良すること、そして特に種々のアプリケータ要素、特に横断面が円形でないアプリケータ要素を満足な仕方で拭うことのできるワイパー部材の利点を得ることが要求されている。
【０００７】
また、相応した容器に容易に装着できるワイパー部材を提供することも要求されている。
【課題を解決するための手段】
【０００８】
本発明の特徴の一つにおいて、本発明は、
物質を収容する容器と；
アプリケータ要素を含むアプリケータと；
アプリケータ要素を拭うワイパー部材と；
を有し、
ワイパー部材がワイパー部材の自由端までのびる少なくとも一つのスロットを備える壁ををもつ長手方向に割った環状部分を備え、スロットが上記壁の全厚さを通ってのび、上記長手方向に割った環状部分が、内側横断面の最小となる平面において、アプリケータ要素の最大横断面より大きな外側横断面をもち、アプリケータ要素が通る際に上記長手方向に割った環状部分が半径方向外方へ変形することを特徴とする、物質、特に化粧品又はケアー製品の包装及び塗布装置を提供する。
【０００９】
本発明によれば、ワイパー部材は、拭い作用の性能を損なわせることなしに、アプリケータ要素がワイパー部材を通過する際に容易に変形できる。
【００１０】
スロットは、それの各側に位置した二つのセクターを画定している。こうしてスロットで分離した二つの隣接したセクターは、スロットの幅だけ離間される対向面を備えている。アプリケータ要素がワイパー部材を通過する際に、アプリケータ要素は対向面と接触し、対向面は、特に大きな面積をもっているので拭い作用に寄与できる。長手方向に割った環状部分の外側横断面はアプリケータ要素の横断面より大きいので、スロットのレベルで相対的に大きな壁厚を得ることができ、それにより拭い作用が改善される。
【００１１】
長手方向に割った環状部分は半径方向外方へ突出した少なくとも一つの部分、例えば環状ビードを備え、この突出した部分は長手方向に割った環状部分のほぼ自由端に位置することができ、それにより長手方向に割った環状部分の自由端における大きな壁厚による利点を得ることができ、またワイパー部材の拭い性能を更に改善させることができる。
【００１２】
上記の突出した部分は環状ビード以外でもよい。
【００１３】
長手方向に割った環状部分は、例えば、スロットに配置した少なくとも一つのリブを備えることができ、このリブはできればワイパー部材の軸線に平行にのびる。
【００１４】
長手方向に割った環状部分の壁厚は、例えば０．５ｍｍ〜８ｍｍ、好ましくは０．８ｍｍ〜６ｍｍ、例えば１．２ｍｍ〜６ｍｍの範囲内であり得る。
【００１５】
ワイパー部材の壁厚は特にその底部分において、特に長手方向に割った環状部分においては一定である必要がない。
【００１６】
長手方向に割った環状部分においては、壁厚は例えば、アプリケータ要素がワイパー部材の外周部を越えて突出せずに、ワイパー部材内に覆われたままであり、ワイパー部材を通過する際にスロットの厚さで拭われるようにされ得る。
【００１７】
長手方向に割った環状部分は特に、撓み性から半硬質であり、例えばショアーAスケールで１５からショアーＤスケールで４０までの範囲の硬度をもつ弾性的に変形できる材料を射出成形することにより構成できる。かかる材料はセル（気泡）なしの固体であることができる。
【００１８】
長手方向に割った環状部分は特に、以下の材料の一つによって作られ得る。
シリコーンエラストマー、エチレン−プロピレンダイン単量体（ＥＰＤＭ）、ニトリルゴム、ブチルゴム、ラテックス、熱可塑性エラストマー、ポリウレタン（ＰＵ）、ポリエステル、ポリエチレン（ＰＥ）、ポリ塩化ビニル（ＰＶＣ）、エチレンビニルアセテート（ＥＶＡ）、スチレン−イソプレン−スチレン（ＳＩＳ）、スチレン−ブタジエン−スチレンブロック共重合体（ＳＢＳ）、スチレン−エチレン−ブタリエン−スチレン（ＳＥＢＳ）、Ｈｙｔｒｅｌ（登録商標）、Ｐｅｂａｘ（登録商標）。この材料リストは本発明を限定するものではない。
【００１９】
この長手方向に割った環状部分は好ましくは、少なくとも二つの長手方向スロット、より好ましくは少なくとも三つの長手方向スロット、更に好ましくは四つ以上、例えば六個又は八個以上の長手方向スロットを備え、これらスロットは好ましくは、長手方向に割った環状部分の周囲に規則的に配置され、従ってスロット間に形成されたセクターは同じ角度広がりをもつ。
【００２０】
スロットは、アプリケータ要素がワイパー部材に係合してない時に接触する縁部を備えることができる。
【００２１】
ワイパー部材の長方向軸線に沿って測った少なくとも一つのスロットの長さは例えば２ｍｍ〜１５ｍｍの範囲にあり得る。
【００２２】
スロットはワイパー部材の高さの１／２以下又は１／３以下にわたってのびることができる。
【００２３】
スロットは、スロットに沿ってのびるワイパー部材の部分に設けられ得、そして上記部分は、上記部分におけるワイパー部材の内側横断面がアプリケータ要素の最大横断面より小さいか又はそれに等しいようにされる。
【００２４】
休止状態で、アプリケケータ要素のない場合には、ワイパー部材は軸対称と成り得る。ワイパー部材の外側包絡線は、例えば通常回転体の形態であり得る。長手方向に割った環状部分の内側横断面は、円形、楕円形、又は多角形であることができ、特に、長手方向に割った環状部分の内側横断面は、方形又は三角形であってもよい。非円形内側横断面は、例えば、同様に非円形例えば同様な形状の横断面のアプリケータ部材を拭うために設けられ得る。
【００２５】
長手方向に割った環状部分の内側横断面は、特に円形、楕円形又は多角形である場合には、容器内へアプリケータ要素を挿入し易くするように、自由端に向って少なくともある長さにわたってテーパー状にできる。長手方向に割った環状部分の内側横断面は、長手方向に割った環状部分の自由端まですべてテーパー状にしてもよい。
【００２６】
特に、長手方向に割った環状部分は、部分的にほぼ円錐台形である内側表面を備えることができる。
【００２７】
長手方向に割った環状部分の外側横断面は少なくともある長さにわたってワイパー部材の自由端に向って徐々にテーパー状に、容器の内側に向って集束するようにされ得る。
【００２８】
ワイパー部材の頂端部の内径は、例えば約１０ｍｍにでき、そしてワイパー部材の長手方向に割った環状部分の自由端では少なくとも３０％、例えば６ｍｍまで約４０％又はそれ以下に減少できる。
【００２９】
ステムの直径は例えば３ｍｍにでき、またアプリケータ要素の最大直径寸法は例えば６ｍｍにできる。
【００３０】
ワイパー部材の外周部の直径は、例えば６ｍｍよりかなり大きくできる。
【００３１】
ワイパー部材の最小内側断面は、ステムの直径及び（又は）アプリケータ要素の最大横断面の直径より小さいか又はそれらに等しくできる。
【００３２】
ワイパー部材の外側表面には、長手方向に割った環状部分の上方に溝を備えることができる。この溝は、アプリケータ要素が通る際におけるセクターの外方への変形を容易にさせる。
【００３３】
ワイパー部材は、また、容器内へのスナップ嵌めのために、長手方向に割った環状部分の上方でワイパー部材の外側表面に環状ビードを備えてもよい。
【００３４】
長手方向に割った環状部分の少なくとも一つのスロットは、平行でない、横断面が半径方向外方へ広がる、特にＶ字形である対向面を備え得る。
【００３５】
この構成により、特に、スロットの対向面上にフロック加工の被覆を容易にこうけることができる。
【００３６】
特定の実施形態では、長手方向に割った環状部分は、容器に装着される固定部分に固定され、例えば首部に係合される。
【００３７】
長手方向に割った環状部分及び固定部分は、材料の単一成形体として構成され得る。
【００３８】
変形例においては、長手方向に割った環状部分は一つの部品として構成され得、また固定部分は別の部品として構成され得、これら二つの部品は互いに固定され得る。
【００３９】
固定部分は、その一端部に、容器の首部の端縁部に対して軸線方向に支持する鍔を備えることができる。
【００４０】
固定部分は、外側に首部の一部分を覆うように設けられた環状スカートを備えてもよい。
【００４１】
変形例においては、固定部分はまた、容器の首部の少なくとも主要部分を構成することができ、また実質的に首部のない容器の開口のまわりに支持し得る。
【００４２】
固定部分及び長手方向に割った環状部分は、異なる材料で構成してもよい。例として、固定部分は、長手方向に割った環状部分を構成する材料より硬質のプラスチックス材料で構成してもよい。このような固定部分は、容器を構成する材料の剛性によって容易にされる容器における満足なシーリング及び締付けを得るのに役立ち得る。固定部分は、例えば以下の材料、即ちポリオレフィン、特にポリエチレン（ＰＥ）又はポリプロピレン（ＰＰ）；ポリアセタル（ＰＯＭ）；ポリアミド（ＰＡ）；ポリエチレンテレフタレート（ＰＥＴ）の一つによって構成され得る。
【００４３】
固定部分を構成している材料は、特に、物質中に存在する水及び（一つ又は複数の）溶剤に対して不浸透性であり得る。
【００４４】
長手方向に割った環状部分及び固定部分が同じ材料を用いて成形により作られない場合には、長手方向に割った環状部分は種々の仕方、特に機械的組立て、接着剤又は熱シール法により固定部分に固定され得る。長手方向に割った環状部分はまた、長手方向に割った環状部分及び固定部分の一方を他方にオーバーモールディングすることにより固定部分に接合され得る。
【００４５】
長手方向に割った環状部分は、固定部分を覆う、例えばその内側を覆う部品の一部分によって構成され得る。上記一部分は、ワイパー部材内へアプリケータ要素を挿入するための開口に向ってテーパー状であり得る。
【００４６】
長手方向に割った環状部分には、例えばスナップ嵌めによって固定部分に機械的に組立てる部分をもつ部品が設けられ得、この部品は、例えば、固定部分に設けた相補的な形状の部分とし得る溝又はビードを備えている。
【００４７】
アプリケータ要素は、種々の形態を取ることができ、特に横断面は、アプリケータ要素の長さの少なくとも一部分にわたって円形ではなく、例えば平坦であり得る。
【００４８】
アプリケータ要素は、フロック加工の被覆を備えることができる。
【００４９】
物質はマスカラであり得る。従って、アプリケータ要素は、例えば、ブラシ又は櫛、例えば恐らく直線状でない軸線に沿ってのび、ケラチン質の繊維及び特にまつげ、眉毛又はヘアーに物質を塗布するようにされた絵筆以外のもので構成され得る。
【００５０】
物質はまた、まぶた例えばアイライナーに塗布するためのものでもよい。物質はまた、唇に塗布するものでもよい。
【００５１】
アプリケータは、端部にアプリケータ要素を固定したステムを有することができる。ステムは、例えば横断面円形のものでもよく、そして第１の横断面をもつ第１の部分及び第１の横断面より小さい第２の横断面をもつ第２の部分を有することができ、第２の部分は、アプリケータが容器に適切に置かれている時に、ワイパー部材の長手方向に割った環状部分内の位置を占める。これにより、収納時にワイパー部材の長手方向に割った環状部分を過剰に変形させるのを避けることができる。第１の部分は、アブリケータ要素と第２の部分との間にのびている。
【００５２】
本発明は、添付図面を参照して、本発明を限定しない実施形態についての以下の詳細な説明から一層良く理解され得る。
【発明を実施するための最良の形態】
【００５３】
図１に示す包装及びアプリケータ装置１は、軸線Ｘの首部８を備え、頂端部が開き、そして例えば唇用のつやだしのような化粧品Ｐを収容するのに適した容器２を有する。
【００５４】
弾性的に変形可能な材料、例えば熱可塑性樹脂製のワイパー部材３は容器２に嵌め込まれ、例えば首部８に摩擦係合させて容器に固定される。当然、ワイパー部材３は、他の仕方、例えば接着剤、熱シール、又はスナップ嵌めによって、或いは付加的なホルダー部品を用いて容器２に固定してもよい。
【００５５】
装置１はさらに、アプリケータ４を有し、アプリケータ４は図示実施形態では閉じキャップ５を備え、閉じキャップ５にはステム６が固定されている。ステム６の自由端にはアプリケータ要素７が設けられ、このアプリケータ要素７は任意の種類のものであってよい。
【００５６】
説明した例では、ワイパー部材３の横断面はアプリケータ要素７の横断面より小さい。
【００５７】
キャップ５は図１には見えないが内側にねじを備えており、このねじは、容器２を閉じるために首部８における外側ねじ９にねじ込まれる。キャップ５は、ねじ締付け以外の、例えばスナップ嵌めによって首部８に固定してもよい。
【００５８】
説明した例では、ワイパー部材３は、長手方向軸線が首部８の軸線Ｘと一致するほぼ環状体１０を備え、環状体１０の頂端部は鍔１１までのび、鍔１１は首部８の頂端部に当接する。
【００５９】
鍔１１は容器２を漏れないように閉じるのに寄与し、キャップ５の表面は、キャッブ５をねじ込む際に鍔１１に押圧する。
ワイパー部材３はのそ底端部にスプリット環状部分１２を備え、スプリット環状部分１２はその端部にビード１３が設けられ、このビード１３はその外側表面から径方向に突出している。
【００６０】
図示例において、長手方向に割った環状部分１２は、ワイパー部材３の自由端３ａまで軸線Ｘに平行にのびる多数の長手方向スロット１４を備え、これらのスロット１４の数は例えば八個である。図示例において、スロット１４は、ワイパー部材３の高さの半分以下にわたってのび、またこの例では、スロット１４はワイパー部材の高さの１／３以下にわたってのびている。
【００６１】
説明した例では、ワイパー部材の外側横断面は内側横断面と同様に円形である。長手方向に割った環状部分１２で画定した最も狭い部分におけるワイパー部材３の内径は、ステム６の外径にほぼ等しい。長手方向に割った環状部分１２で画定した最も狭い部分におけるワイパー部材３の内径は、本発明の範囲を越えることなしに、ステム６の外径より小さくてもよい。
【００６２】
ステム６の直径は３ｍｍであることができ、アプリケータ要素７の最大直径寸法は例えば６ｍｍであることができ、ワイパー部材３の頂端部の内径は例えば約１０ｍｍであり、そしてワイパー部材の自由端し３ａにおいて少なくとも６ｍｍ以下まで３０％又は４０％までも減少している。
【００６３】
ワイパー部材の外周囲は、例えば６ｍｍよりかなり大きい直径をもち得る。
【００６４】
アプリケータ装置１を閉じる時には、図１に示すように、ワイパー部材３の長手方向に割った環状部分１２は、長手方向に割った環状部分１２を相当に変形させることなしに、アプリケータ４のステム６に当接する。
【００６５】
スロット１４はそれらの間に、セクター１５を画定し、これらのセクター１５は、アプリケータ要素７が通過する際に広がることができる。
【００６６】
図示例において、スロット１４は長手方向に割った環状部分１２のまわりに規則的に分配され、そしてセクター１５は全て同じ角度でのびている。
【００６７】
しかし、本発明の範囲内でスロット１４を長手方向に割った環状部分１２のまわりに不規則に分離することもできる。
【００６８】
説明した例においては、アプリケータ要素７はフロック加工した被覆で覆われ、通常平坦な形状である。それの横断面は非円形であり、主寸法がステム３の直径より、例えば少なくとも１．５倍又は少なくとも２倍大きい正方形である。
【００６９】
図４及び図５に示すように、アプリケータ要素７は長手方向に割った環状部分１２を通る。セクター１５は、長手方向に割った環状部分１２がアプリケータ要素７の通る際にアプリケータ要素７の形状のまわりに密接するように曲がり、それにより有効な拭い作用を保証する。
【００７０】
図示例において、スロットは、ワイパー部材に沿ってのびるワイパー部材の部分に形成され、上記部分におけるワイパー部材の内側横断面はアプリケータ要素７の最大横断面より小さいか又はそれに等しくなるようにされる。
【００７１】
アプリケータ要素７はまた、図５に見られるように、特にビード１３の付近において少なくとも一つのスロット１４の対向面１４ａ、１４ｂによって一部拭われ得る。
【００７２】
特に、長手方向に割った環状部分１２の厚さは、アプリケータ要素７がワイパー部材３の外周を越えて突出せずに、覆われたままであり、そしてワイパー部材を通過する際にスロット１４の厚さ内で拭われるようにされる。
【００７３】
対向面１４ａ、１４ｂは、アプリケータ要素７と接触できる際に、拭い作用に寄与するために最良に配置される。適当な場合には、物質は毛管現象でそれらの対向面１４ａ、１４ｂ間に保持され得る。特にピード１３の付近において長手方向に割った環状部分１２の壁厚を相対的に厚くすることにより、相対的に大きな面積をもちしかもアプリケータ要素７を拭うのに役立ちかつ物質を毛管現象で捕捉するのに適した対向面１４ａ、１４ｂを得ることができる。
【００７４】
ワイパー部材３を弾性にすることにより、アプリケータ要素７が長手方向に割った環状部分１２を通過すると、スロット１４は閉じ、セクター１５は再び互いに実質的に接触する。
【００７５】
ワイパー部材３は、ビード１３をもたない長手方向に割った環状部分１２を備えてもよく、比較的厚い壁を節約して、例えば容器の内側に向って外側横断面がテーパー状になった切頭円錐形にできる。このようなワイパー部材３を図６に示す。図６において、ワイパー部材３の内側横断面はワイパー部材の自由端３ａに向って下方へテーパー状になっている。
【００７６】
ワイパー部材３の壁厚は、０．５ｍｍ〜８ｍｍの範囲、又は実際には０．８ｍｍ〜６ｍｍの範囲、例えば１．２ｍｍ〜６ｍｍの範囲内であり得る。
【００７７】
ワイパー部材３の外側横断面はまたセクター１５の外側部分に軸方向リブ１９を設けて増大することもでき、上記軸方向リブは図７及び図８に示すように、スロット１４の対向面１４ａ、１４ｂを広げている。
【００７８】
ワイパー部材３は上記で説明したように単一部品として構成され得るか、又は互いに組立てられる二つの部品として構成され得る。
【００７９】
これは、特に図７〜図１４に示すワイパー部材３に適応し、各ワイパー部材はポリオレフィンのような比較的硬い材料から成る固定部分１７及び固定部分１７に固定されかつ長手方向に割った環状部分１２を含む部品を備え、上記部品は固定部分の材料より撓み性である例えば熱可塑性エラストマで構成されている。
【００８０】
固定部分１７及び長手方向に割った環状部分１２を含む部品は種々の仕方で互いに固着され得、特にそれらは、接着剤、熱シール、スナップ嵌めを用いて、又は付加的な部品により互いに組立てることによって固着され得る。長手方向に割った環状部分１２を含む部品は、例えば図９に示すように固定部分１７のまわりに、又は図１０に示すように固定部分１７の内側に、又は図１１に示すように固定部分１７に跨って係合し得る。
【００８１】
図１２では、固定部分１７及び長手方向に割った環状部分１２を含む部品はスナップ嵌めにより機械的に互いに保持され、固定部分１７はビード２０を備え、また長手方向に割った環状部分１２を含む部品はビード２０を受ける溝２１を備えている。
【００８２】
固定部分１７及び長手方向に割った環状部分１２はまたオーバーモールディングによって互いに固着され得、長手方向に割った環状部分１２を含む部品は、例えば図１３に示すように、固定部分１７に双方向射出により形成される。この例では、長手方向に割った環状部分１２を含む部品は、固定部分１７の内側を覆っている。
【００８３】
ワイパー部材３の長手方向に割った環状部分１２は図１４及び図１５に示すようにリブ２２を備えることができ、これらのリブ２２はセクター１５の外側部分のほぼ中間に配置され、それにより長手方向に割った環状部分１２を一層剛化することができる。
【００８４】
また、図１６に示すように、長手方向に割った環状部分１２を含む部品には、長手方向に割った環状部分１２のまわりにのびる外側環状スカート２９を設けてもよく、この外側環状スカート２９は特に物質を保持する働きをしている。
【００８５】
長手方向に割った環状部分１２の内側横断面は円形であり得、その直径はステム６の直径にほぼ等しいか、又は図１７に示すように、例えばテーパー状部分をもつアプリケータ要素を拭うようにステム６の直径より小さくできる。長手方向に割った環状部分１２の内側横断面は円形でなくてもよく、例えばアプリケータ要素の部分的且つ選択的拭い作用を行なうように図１８に示すように星型であってもよい。
【００８６】
スロット１４の数は変えることができる。例として、図１８には、五つのスロット１４を備えたワイパー部材が示され、図１９には、四つのスロットが示され、また図２０には六つのスロットが示されている。
【００８７】
ワイパー部材３の一部が下方へ徐々にテーパー状になった横断面の円錐台形である場合には、スロット１４は図６に示すように、円錐台形部分の一部にのみのび得る。スロット１４はまた図２１に示すように円錐台形部分を越えてのびてもよく、或いはスロット１４は図２２に示すように円錐台形部分にのみのびてもよい。
【００８８】
長手方向に割った環状部分１２は図２３に示すようにほぼ管状形であってもよい。
【００８９】
ワイパー部材３の外側部分は例えば図２４に示すように溝２５を形成するため、例えばアプリケータ要素７を通しながら、セクター１５を容易に離隔できるようにするために一部位で狭くしてもよい。
【００９０】
図２５には、アプリケータ４の別の実施形態を示し、この場合アプリケータ要素７はブラシで構成され、このブラシは僅かに湾曲している。
【００９１】
図２６には、アイライナーを施すための別の包装及びアプリケータ装置を示す。アプリケータ４のステム６は、セクター１５が休止時に変形しないようにかつまた容器２内にアプリケータ４を挿入する際に容器２内に生じた圧力を逃すことができるように、長手方向に割った環状部分１２の内側横断面より小さな横断面の狭い部分６ａを備えている。
【００９２】
図２８では、ワイパー部材３の固定部分１７は環状スカート３５を備え、環状スカート３５は首部８の頂端部に設けたリップ３６を覆っている。これによりワイパー部材３の保持が改善される。
【００９３】
図２９では、ワイパー部材３は首部を備え、この首部に例えば閉じキャップ５がねじ込むことができる。
【００９４】
図２の例では、各スロット１４は、休止時には本質的に平行でありそして互いに接触する対向面１４ａ、１４ｂを備えている。
【００９５】
当然、スロット１４を違った仕方で設けることができ、特に、休止時に平行とならずに例えば図３０に示すように半径方向外方へ開いた対向面１４ａ、１４ｂを備えたスロットを設けることができる。
【００９６】
図３０に見られるように、長手方向に割った環状部分１２の少なくとも一つのスロット１４の幅は外方へ向って増大している。これにより、フロック加工の被覆４０で対向面１４ａ、１４ｂを一層容易に覆うことができるようになり、このことはワイパー部材の性能を更に改善できる。
【００９７】
図３１には、容器の相応した溝、特に容器の首部に設けた溝にスナップ嵌めするために、外側表面から突出する環状ビード４２をワイパー部材に設ける可能性を示している。
【００９８】
当然、本発明は上記で説明してきた実施形態に限定されない。
【００９９】
アプリケータ要素は任意の丸くなった、細長い又は角張った形状でもよい。アプリケータ要素は例えば直線状ブラシ、随意にフロック加工した発泡体アプリケータ、櫛、又は絵筆で構成してもよい。
【０１００】
アプリケータ要素は、ステムの最大直径より小さい又はそれに等しい最大横断面をもち得る。
【０１０１】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【０１０２】
【図１】本発明に従って構成した包装及びアプリケータ装置を一部軸方向断面で又一部斜視図で示す概略線図。
【図２】図１のワイパー部材自体を示す概略部分側面図。
【図３】ワイパー部材自体を示す概略部分斜視図。
【図４】ワイパー部材を通る図１のアプリケータ要素を示す概略部分斜視図。
【図５】ワイパー部材を通る図１のアプリケータ要素を示す概略部分斜視図。
【図６】ワイパー部材の別の実施形態を示す概略軸方向断面図。
【図７】ワイパー部材の別の実施形態を示す概略軸方向断面図。
【図８】図７の矢印ＶＩＩＩに沿って下から見た概略部分図。
【図９】ワイパー部材の別の変形実施形態を示す概略軸方向断面図。
【図１０】ワイパー部材の別の変形実施形態を示す概略軸方向断面図。
【図１１】ワイパー部材の別の変形実施形態を示す概略軸方向断面図。
【図１２】ワイパー部材の別の変形実施形態を示す概略軸方向断面図。
【図１３】ワイパー部材の別の変形実施形態を示す概略軸方向断面図。
【図１４】ワイパー部材の別の変形実施形態を示す概略軸方向断面図。
【図１５】図１４の矢印ＸＶに沿って下から見た概略部分図。
【図１６】ワイパー部材の別の変形実施形態を示す概略軸方向断面図。
【図１７】ワイパー部材の長手方向に割った環状部分の実施形態を示す概略底面図。
【図１８】ワイパー部材の長手方向に割った環状部分の別の実施形態を示す概略底面図。
【図１９】ワイパー部材の長手方向に割った環状部分の別の実施形態を示す概略底面図。
【図２０】ワイパー部材の長手方向に割った環状部分の別の実施形態を示す概略底面図。
【図２１】ワイパー部材の変形実施形態を示す概略部分側面図。
【図２２】ワイパー部材の変形実施形態を示す概略部分側面図。
【図２３】ワイパー部材の変形実施形態を示す概略部分側面図。
【図２４】ワイパー部材の変形実施形態を示す概略部分側面図。
【図２５】ブラシで構成したアプリケータ要素を含むアプリケータの概略斜視図。
【図２６】ワイパー部材を通る図２５のアプリケータ要素を示す概略部分斜視図。
【図２７】本発明の別の包装及びアプリケータ装置を示す概略軸方向断面図。
【図２８】本発明の包装及びアプリケータ装置の別の実施形態を示す概略軸方向部分断面図。
【図２９】本発明の包装及びアプリケータ装置の別の実施形態を示す概略軸方向部分断面図。
【図３０】変形実施形態を示す、図２の矢印ＸＸＸに沿った部分概略図。
【図３１】ワイパー部材の別の実施形態の部分正面図。
【符号の説明】
【０１０３】
１：包装及びアプリケータ装置
２：容器
３：ワイパー部材
３ａ：ワイパー部材３の自由端
４：アプリケータ
５：閉じキャップ
６：ステム
６ａ：狭い部分
７：アプリケータ要素
８：首部
９：外側ねじ
１０：環状体
１１：鍔
１２：スプリット環状部分
１３：ビード
１４：長手方向スロット
１４ａ：対向面
１４ｂ：対向面
１５：セクター
１７：固定部分
１９：軸方向リブ
２０：ビード
２２：リブ
２９：外側環状スカート
３５：環状スカート
３６：リップ
４０：フロック加工の被覆
４２：環状ビード
【図１】
2004351208.tif 000003
【図２】
2004351208.tif 000004
【図３】
2004351208.tif 000005
【図４】
2004351208.tif 000006
【図５】
2004351208.tif 000007
【図６】
2004351208.tif 000008
【図７】
2004351208.tif 000009
【図８】
2004351208.tif 000010
【図９】
2004351208.tif 000011
【図１０】
2004351208.tif 000012
【図１１】
2004351208.tif 000013
【図１２】
2004351208.tif 000014
【図１３】
2004351208.tif 000015
【図１４】
2004351208.tif 000016
【図１５】
2004351208.tif 000017
【図１６】
2004351208.tif 000018
【図１７】
2004351208.tif 000019
【図１８】
2004351208.tif 000020
【図１９】
2004351208.tif 000021
【図２０】
2004351208.tif 000022
【図２１】
2004351208.tif 000023
【図２２】
2004351208.tif 000024
【図２３】
2004351208.tif 000025
【図２４】
2004351208.tif 000026
【図２５】
2004351208.tif 000027
【図２６】
2004351208.tif 000028
【図２７】
2004351208.tif 000029
【図２８】
2004351208.tif 000030
【図２９】
2004351208.tif 000031
【図３０】
2004351208.tif 000032
【図３１】
2004351208.tif 000033
【外国語明細書】
2004351208.tif 000034
2004351208.tif 000035
2004351208.tif 000036
2004351208.tif 000037
2004351208.tif 000038
2004351208.tif 000039
2004351208.tif 000040
2004351208.tif 000041
2004351208.tif 000042
2004351208.tif 000043
2004351208.tif 000044
2004351208.tif 000045
2004351208.tif 000046
2004351208.tif 000047
2004351208.tif 000048
2004351208.tif 000049
2004351208.tif 000050
2004351208.tif 000051
2004351208.tif 000052
2004351208.tif 000053
2004351208.tif 000054
2004351208.tif 000055
2004351208.tif 000056
2004351208.tif 000057
2004351208.tif 000058
2004351208.tif 000059
2004351208.tif 000060